(57)【要約】【課題】ペイロード情報の引き継ぎを適切に行うことができる技術を提供する。【解決手段】本発明の信号処理装置は、入力されたＳＤＩ信号の信号種別を順次判断する判断手段と、前記ＳＤＩ信号からペイロード情報を順次取得する取得手段と、前記取得手段によるペイロード情報の取得状況に基づいて、前記ＳＤＩ信号の表示設定に使用するペイロード情報を順次決定する決定手段と、を有し、前記決定手段は、前記取得手段によるペイロード情報の取得状況と、前記判断手段によって判断された信号種別とに基づいて、前回決定したペイロード情報を前記表示設定に使用するペイロード情報として引き続き採用するか否かを判断する。【選択図】図１
2019033388.tif 000002
【特許請求の範囲】
【請求項１】
入力されたＳＤＩ信号の信号種別を順次判断する判断手段と、
前記ＳＤＩ信号からペイロード情報を順次取得する取得手段と、
前記取得手段によるペイロード情報の取得状況に基づいて、前記ＳＤＩ信号の表示設定に使用するペイロード情報を順次決定する決定手段と、
を有し、
前記決定手段は、前記取得手段によるペイロード情報の取得状況と、前記判断手段によって判断された信号種別とに基づいて、前回決定したペイロード情報を前記表示設定に使用するペイロード情報として引き続き採用するか否かを判断する
ことを特徴とする信号処理装置。
【請求項２】
前記決定手段は、自装置に対応する予め定められたペイロード情報が前記取得手段によって取得されなかった場合に、前記判断手段によって判断された信号種別に基づいて、前回決定したペイロード情報を前記表示設定に使用するペイロード情報として引き続き採用するか否かを判断する
ことを特徴とする請求項１に記載の信号処理装置。
【請求項３】
自装置に対応する予め定められたペイロード情報が前記取得手段によって取得されず、且つ、前記判断手段によって判断される信号種別に所定の変化が無かった場合に、前記決定手段は、前回決定したペイロード情報を、前記表示設定に使用するペイロード情報として引き続き採用する
ことを特徴とする請求項１または２に記載の信号処理装置。
【請求項４】
前記信号種別は、前記ＳＤＩ信号の伝送方式を少なくとも含み、
前記所定の変化は、前記伝送方式の変化を少なくとも含む変化である
ことを特徴とする請求項３に記載の信号処理装置。
【請求項５】
前記信号種別は、前記ＳＤＩ信号の伝送規格を少なくとも含み、
前記所定の変化は、前記伝送規格の変化を少なくとも含む変化である
ことを特徴とする請求項３または４に記載の信号処理装置。
【請求項６】
前記信号種別は、前記ＳＤＩ信号の伝送規格を少なくとも含み、
複数の伝送規格は、２つ以上の伝送規格群に分類されており、
前記所定の変化は、前記伝送規格群の変化を少なくとも含む変化である
ことを特徴とする請求項３または４に記載の信号処理装置。
【請求項７】
前記信号種別は、前記ＳＤＩ信号の画像解像度を少なくとも含み、
前記所定の変化は、前記画像解像度の変化を少なくとも含む変化である
ことを特徴とする請求項３〜６のいずれか１項に記載の信号処理装置。
【請求項８】
前記信号種別は、前記ＳＤＩ信号のフレームレートを少なくとも含み、
前記所定の変化は、前記フレームレートの変化を少なくとも含む変化である
ことを特徴とする請求項３〜７のいずれか１項に記載の信号処理装置。
【請求項９】
前記ＳＤＩ信号に基づく画像を表示する表示手段と、
前記決定手段によって決定されたペイロード情報を用いて前記表示手段に対する前記表示設定を行う設定手段と、
をさらに有する
ことを特徴とする請求項１〜８のいずれか１項に記載の信号処理装置。
【請求項１０】
自装置に対応する予め定められたペイロード情報が前記取得手段によって取得されなかった場合に、前記決定手段によって決定されたペイロード情報を前記ＳＤＩ信号に付与する付与手段と、
前記付与手段の処理が施された後のＳＤＩ信号を出力する出力手段と、
をさらに有する
ことを特徴とする請求項１〜９のいずれか１項に記載の信号処理装置。
【請求項１１】
前記取得手段によってペイロード情報が取得されず、且つ、前記判断手段によって判断される信号種別に所定の変化が無かった場合に限って、前記付与手段は、前記決定手段によって決定されたペイロード情報を前記ＳＤＩ信号に付与する
ことを特徴とする請求項１０に記載の信号処理装置。
【請求項１２】
自装置に対応する予め定められたペイロード情報が前記取得手段によって取得されず、且つ、前記判断手段によって判断される信号種別に所定の変化があった場合に、前記決定手段は、予め定められたペイロード情報を、前記表示設定に使用するペイロード情報として決定する
ことを特徴とする請求項１〜１１のいずれか１項に記載の信号処理装置。
【請求項１３】
自装置に対応する予め定められたペイロード情報が前記取得手段によって取得された場合に、取得されたペイロード情報を、前記判断手段によって判断された信号種別に関連付けて記憶部に記録する記録手段、をさらに有し、
前記予め定められたペイロード情報が前記取得手段によって取得されず、且つ、前記判断手段によって判断される信号種別に所定の変化があった場合に、前記決定手段は、前記判断手段によって判断された信号種別と同じ信号種別に関連付けられて前記記憶部に記録されたペイロード情報を、前記表示設定に使用するペイロード情報として決定する
ことを特徴とする請求項１〜１２いずれか１項に記載の信号処理装置。
【請求項１４】
コンピュータを、請求項１〜１３のいずれか１項に記載の信号処理装置の各手段として機能させるためのプログラム。
【請求項１５】
入力されたＳＤＩ信号の信号種別を順次判断する判断ステップと、
前記ＳＤＩ信号からペイロード情報を順次取得する取得ステップと、
前記取得ステップにおけるペイロード情報の取得状況に基づいて、前記ＳＤＩ信号の表示設定に使用するペイロード情報を順次決定する決定ステップと、
を有し、
前記決定ステップでは、前記取得ステップにおけるペイロード情報の取得状況と、前記判断ステップにおいて判断された信号種別とに基づいて、前回決定したペイロード情報を前記表示設定に使用するペイロード情報として引き続き採用するか否かを判断する
ことを特徴とする信号処理方法。
【発明の詳細な説明】
【技術分野】
【０００１】
本発明は、信号処理装置および信号処理方法に関する。
【背景技術】
【０００２】
映像技術に関する標準規格ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）では、ＳＤＩ（Ｓｅｒｉａｌ  Ｄｉｇｉｔａｌ  Ｉｎｔｅｒｆａｃｅ）信号の規格が定められている。ＳＤＩ信号の規格のうち、ＳＭＰＴＥ  ＳＴ  ３５２では、ＳＤＩ信号に付与されるペイロード情報（Ｖｉｄｅｏ  Ｐａｙｌｏａｄ  Ｉｄｅｎｔｉｆｉｃａｔｉｏｎ  Ｃｏｄｅ）の規格が定められている。ペイロード情報は、伝送方式（プログレッシブ方式、インターレース方式、ＰｓＦ（Ｐｒｏｇｒｅｓｓｉｖｅ  ｓｅｇｍｅｎｔｅｄ  Ｆｒａｍｅ）方式、等）やサンプリング構造などの、ＳＤＩ信号に関する情報を含む。そして、表示装置は、ペイロード情報に基づいてＳＤＩ信号の表示設定を行う。
【０００３】
しかしながら、ＳＤＩ信号を出力する出力装置から正常なペイロード情報が出力されるとは限らない。例えば、ペイロード情報を付与しない出力装置（図８（Ａ））、ペイロード情報の付与と非付与を交互に繰り返す出力装置（図８（Ｂ））、等が存在する。正常なペイロード情報の付与と誤った（正常でない）ペイロード情報の付与とを交互に繰り返す出力装置（図８（Ｃ））、等が存在する。
【０００４】
そのため、出力装置から出力されたペイロード情報に基づく表示設定を表示装置が行う場合において、誤った表示設定（ユーザの意図しない表示設定など）が行われたり、表示設定の誤更新が繰り返されたりすることがある。
【０００５】
このような課題に鑑みた従来技術として、ＳＤＩ信号にペイロード情報が付与されていない場合に、予め定められたペイロード情報を当該ＳＤＩ信号に付与する技術が提案されている（特許文献１）。また、正常なペイロード情報がＳＤＩ信号に付与されている状態から他の状態へ切り替わった場合に、切り替わり前の正常なペイロード情報を、表示設定に使用するペイロード情報として引き続き採用する技術も提案されている（ペイロード情報の引き継ぎ）。
【先行技術文献】
【特許文献】
【０００６】
【特許文献１】特開２００９−２８３９９４号公報
【発明の概要】
【発明が解決しようとする課題】
【０００７】
しかしながら、特許文献１に開示の上記従来技術では、ペイロード情報の付与と非付与を交互に繰り返す出力装置から出力されたＳＤＩ信号に対して、当該ＳＤＩ信号に元々付与されていたペイロード情報とは異なるペイロード情報が付与されることがある。その場合には、ＳＤＩ信号において、元々付与されていたペイロード情報と、特許文献１に開示の上記従来技術によって付与された他のペイロード情報とが交互に繰り替えされることとなる。また、正常なペイロード情報の付与と誤ったペイロード情報の付与とを交互に繰り返す出力装置から出力されたＳＤＩ信号に対しては、ペイロード情報は付与されず、誤ったペイロード情報は修正されない。そのため、特許文献１に開示の上記従来技術を用いたとしても、表示設定の誤更新が繰り返されることがある。
【０００８】
そして、ペイロード情報の引き継ぎを行う上記従来技術を用いた場合には、誤った表示設定が行われることがある。例えば、正常なペイロード情報が付与されたＳＤＩ信号から正常なペイロード情報が付与されていないＳＤＩ信号への切り替えがスイッチング装置によって行われた場合に、切り替え後のＳＤＩ信号の表示設定として誤った表示設定が行われることがある。具体的には、プログレッシブ方式のＳＤＩ信号からインターレース方式のＳＤＩ信号への切り替えが行われた場合に、インターレース方式のＳＤＩ信号について、プログレッシブ方式のペイロード情報が引き続き使用され、ＰｓＦ方式の表示設定が行われてしまう。
【０００９】
本発明は、ペイロード情報の引き継ぎを適切に行うことができる技術を提供することを目的とする。
【課題を解決するための手段】
【００１０】
本発明の第１の態様は、
入力されたＳＤＩ信号の信号種別を順次判断する判断手段と、
前記ＳＤＩ信号からペイロード情報を順次取得する取得手段と、
前記取得手段によるペイロード情報の取得状況に基づいて、前記ＳＤＩ信号の表示設定に使用するペイロード情報を順次決定する決定手段と、
を有し、
前記決定手段は、前記取得手段によるペイロード情報の取得状況と、前記判断手段によって判断された信号種別とに基づいて、前回決定したペイロード情報を前記表示設定に使用するペイロード情報として引き続き採用するか否かを判断する
ことを特徴とする信号処理装置である。
【００１１】
本発明の第２の態様は、コンピュータを、上述した信号処理装置の各手段として機能させるためのプログラムである。
【００１２】
本発明の第３の態様は、
入力されたＳＤＩ信号の信号種別を順次判断する判断ステップと、
前記ＳＤＩ信号からペイロード情報を順次取得する取得ステップと、
前記取得ステップにおけるペイロード情報の取得状況に基づいて、前記ＳＤＩ信号の表示設定に使用するペイロード情報を順次決定する決定ステップと、
を有し、
前記決定ステップでは、前記取得ステップにおけるペイロード情報の取得状況と、前記判断ステップにおいて判断された信号種別とに基づいて、前回決定したペイロード情報を前記表示設定に使用するペイロード情報として引き続き採用するか否かを判断する
ことを特徴とする信号処理方法である。
【発明の効果】
【００１３】
本発明によれば、ペイロード情報の引き継ぎを適切に行うことができる。
【図面の簡単な説明】
【００１４】
【図１】実施例１に係る表示装置の構成例を示すブロック図
【図２】実施例１に係る表示装置の処理フロー例を示すフローチャート
【図３】実施例２に係る表示装置の構成例を示すブロック図
【図４】実施例２に係るペイロード情報記憶部が記憶するテーブルの一例を示す図
【図５】実施例２に係る表示装置の処理フロー例を示すフローチャート
【図６】実施例３に係る信号処理装置の構成例を示すブロック図
【図７】実施例３に係る信号処理装置の処理フロー例を示すフローチャート
【図８】実施例１〜３に係る装置に入力されるＳＤＩ信号の一例を示す図
【発明を実施するための形態】
【００１５】
＜実施例１＞
以下、本発明の実施例１について説明する。実施例１では、ペイロード情報の取得状況と、判断された信号種別とに基づいて、前回決定したペイロード情報を表示設定に使用するペイロード情報として引き続き採用するか否かを判断する信号処理装置について説明する。なお、信号処理装置を備える表示装置の例を説明するが、信号処理装置は、表示装置とは別体の装置であってもよい。
【００１６】
図１は、実施例１に係る表示装置１００の構成例を示すブロック図である。表示装置１００は、入力部１０１、信号種別判断部１０２、ペイロード情報取得部１０３、ペイロード情報決定部１０４、表示設定部１０５、及び、表示部１０６を備える。
【００１７】
入力部１０１は、ＳＤＩ（Ｓｅｒｉａｌ  Ｄｉｇｉｔａｌ  Ｉｎｔｅｒｆａｃｅ）信号を取得（受信）し、取得したＳＤＩ信号を、信号種別判断部１０２、ペイロード情報取得部１０３、及び、表示部１０６へ出力する。ＳＤＩ信号の規格は、映像技術に関する標準規格ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）で定められている。入力部１０１は、表示装置１００の外部から有線でＳＤＩ信号を取得してもよいし、表示装置１００の外部から無線でＳＤＩ信号を取得してもよい。
【００１８】
信号種別判断部１０２は、入力部１０１によって取得されたＳＤＩ信号の信号種別を順次判断し、判断した信号種別をペイロード情報決定部１０４へ順次出力する。例えば、信号種別判断部１０２は、ＳＤＩ信号を解析することにより、当該ＳＤＩ信号の信号種別を判断する。実施例１では、信号種別として、ＳＤＩ信号の伝送方式（プログレッシブ方式やインターレース方式）、及び、ＳＤＩ信号の伝送規格（ＳＤ−ＳＤＩ、ＨＤ−ＳＤＩ、３Ｇ−ＳＤＩ、６Ｇ−ＳＤＩ、１２Ｇ−ＳＤＩ、等）が判断される。
【００１９】
ペイロード情報取得部１０３は、入力部１０１によって取得されたＳＤＩ信号からペイロード情報を順次取得し、取得したペイロード情報をペイロード情報決定部１０４へ順次出力する。ペイロード情報は、例えば、Ｓｉｇｎａｌ  Ｆｏｒｍａｔ  Ｓａｍｐｌｉｎｇ
Ｓｔｒｕｃｔｕｒｅ／Ｐｉｘｅｌ  Ｄｅｐｔｈ情報およびＦｒａｍｅ／Ｆｉｅｌｄ  Ｒａｔｅ（Ｈｚ）情報を含む。Ｓｉｇｎａｌ  Ｆｏｒｍａｔ  Ｓａｍｐｌｉｎｇ  Ｓｔｒｕｃｔｕｒｅ／Ｐｉｘｅｌ  Ｄｅｐｔｈ情報は、例えば、「４：２：２  Ｙ’ＣＢ’ＣＲ’
１０−ｂｉｔ」、「４：４：４  Ｙ’ＣＢ’ＣＲ’  １０−ｂｉｔ」、「４：４：４  ＲＧＢ  １０−ｂｉｔ」、等である。Ｆｒａｍｅ／Ｆｉｅｌｄ  Ｒａｔｅ（Ｈｚ）情報は、例えば、「１０８０ｐ：２４」、「１０８０ＰｓＦ：２４」、「１０８０ｉ：６０」、等である。「ｉ」はインターレース方式を表し、「ｐ」はプログレッシブ方式を表し、「ＰｓＦ」はＰｓＦ（Ｐｒｏｇｒｅｓｓｉｖｅ  ｓｅｇｍｅｎｔｅｄ  Ｆｒａｍｅ）方式を表す。ＰｓＦ方式は、プログレッシブ方式の原信号の各フレームを、同等の画像を表す２つのフィールド（奇数フィールドと偶数フィールド）に分けたインターレース方式である。また、入力部１０１は、ＳＭＰＴＥ  ２０２２規格で規定されている  ｖｉｄｅｏ  ｏｖｅｒ  ＩＰのＳＤＩ無線伝送によってＳＤＩ信号を取得してもよい。そして、ペイロード情報は、ｖｉｄｅｏ  ｏｖｅｒ  ＩＰのＳＤＩ無線伝送によって取得されたアンシラリデータ内の情報であってもよい。
【００２０】
ペイロード情報決定部１０４は、入力部１０１によって取得されたＳＤＩ信号の表示設定に使用するペイロード情報を順次決定し、決定したペイロード情報を表示設定部１０５へ順次出力する。ここで、入力部１０１は、ペイロード情報が付与されていないＳＤＩ信号（図８（Ａ））を取得することがある。また、入力部１０１は、ペイロード情報が付与
された状態とペイロード情報が付与されていない状態とを交互に繰り返すＳＤＩ信号（図８（Ｂ））を取得することもある。さらに、入力部１０１は、正常なペイロード情報が付された状態と誤った（正常でない）ペイロード情報が付与された状態とを交互に繰り返すＳＤＩ信号（図８（Ｃ））を取得することもある。そのため、ペイロード情報取得部１０３が正常なペイロード情報（自装置（表示装置１００；信号処理装置）に対応するペイロード情報）を取得するとは限らない。そこで、ペイロード情報決定部１０４は、ペイロード情報取得部１０３によるペイロード情報の取得状況に基づいて、表示設定に使用するペイロード情報を順次決定する。ペイロード情報決定部１０４は、正常なペイロード情報（自装置に対応するペイロード情報）が予め記述されたテーブルが格納された不図示のメモリを有する。ペイロード情報決定部１０４は、ペイロード情報取得部１０３が取得したペイロード情報が、上記テーブルに記述されている予め定められたペイロード情報と一致するか否かを判別することで、正常なペイロード情報か否かを判断する。
【００２１】
具体的には、正常なペイロード情報がペイロード情報取得部１０３によって取得された場合に、ペイロード情報決定部１０４は、取得されたペイロード情報を、表示設定に使用するペイロード情報として決定する。そして、正常なペイロード情報が取得されなかった場合に、ペイロード情報決定部１０４は、信号種別判断部１０２で判断された信号種別に基づいて、前回決定したペイロード情報を表示設定に使用するペイロード情報として引き続き採用するか否かを判断する。
【００２２】
表示設定部１０５は、ペイロード情報決定部１０４で決定されたペイロード情報を用いて、表示部１０６に対する表示設定を行う。実施例１では、表示設定部１０５は、ペイロード情報によって示された伝送方式とサンプリング構造を、表示設定に反映する。なお、表示設定に反映される事項は、伝送方式とサンプリング構造に限られない。また、ユーザによって指定された表示設定が行われてもよい。
【００２３】
表示部１０６は、表示設定部１０５によって行われた表示設定に従って、入力部１０１によって取得されたＳＤＩ信号に基づく画像を表示する。
【００２４】
図２は、表示装置１００の処理フロー例を示すフローチャートである。表示装置１００は、図２の処理フローを順次行う。例えば、入力部１０１によって取得されたＳＤＩ信号の伝送方式がインターレース方式である場合には、表示装置１００は、当該ＳＤＩ信号の各フィールドについて図２の処理フローを行う。入力部１０１によって取得されたＳＤＩ信号の伝送方式がプログレッシブ方式である場合には、表示装置１００は、当該ＳＤＩ信号の各フレームについて図２の処理フローを行う。
【００２５】
まず、Ｓ２００にて、入力部１０１は、ＳＤＩ信号（フィールドまたはフレーム）を外部装置から取得する。
【００２６】
次に、Ｓ２０１にて、信号種別判断部１０２は、Ｓ２００において取得されたＳＤＩ信号を解析することにより、当該ＳＤＩ信号の信号種別を判断する。
【００２７】
そして、Ｓ２０２にて、ペイロード情報取得部１０３は、Ｓ２００において取得されたＳＤＩ信号からペイロード情報を取得する。
【００２８】
次に、Ｓ２０３にて、ペイロード情報決定部１０４は、Ｓ２０２において正常なペイロード情報（表示装置１００に対応するペイロード情報）が取得されたか否かを判断する。例えば、Ｓ２０２においてペイロード情報が取得された場合には、ペイロード情報決定部１０４は、当該ペイロード情報を参照することにより、当該ペイロード情報が正常なペイロード情報であるか否かを判断する。Ｓ２０２においてペイロード情報が取得されなかっ
た場合には、ペイロード情報決定部１０４は、正常なペイロード情報が取得されなかったと判断する。正常なペイロード情報が取得されたと判断された場合には（Ｓ２０３：Ｙｅｓ）、Ｓ２０４へ処理が進められ、正常なペイロード情報が取得されなかったと判断された場合には（Ｓ２０３：Ｎｏ）、Ｓ２０５へ処理が進められる。
【００２９】
Ｓ２０４にて、ペイロード情報決定部１０４は、Ｓ２０２で取得されたペイロード情報を、表示設定に使用するペイロード情報として決定し、表示設定部１０５は、Ｓ２０２で取得されたペイロード情報を用いて、表示部１０６に対する表示設定を行う。その後、Ｓ２０８へ処理が進められる。
【００３０】
Ｓ２０５にて、ペイロード情報決定部１０４は、信号種別判断部１０２によって判断される信号種別に所定の変化があったか否かを判断する。所定の変化は、前回決定したペイロード情報の引き継ぎを許容できない変化である。所定の変化があったと判断された場合には（Ｓ２０５：Ｙｅｓ）、Ｓ２０６へ処理が進められ、所定の変化が無かったと判断された場合には（Ｓ２０５：Ｎｏ）、Ｓ２０７へ処理が進められる。
【００３１】
実施例１では、複数の伝送規格が、２つ以上の伝送規格群に分類されている。具体的には、複数の伝送規格が、４Ｋの画像解像度に対応していないＳＤ−ＳＤＩやＨＤ−ＳＤＩを含む伝送規格群と、４Ｋの画像解像度に対応する３Ｇ−ＳＤＩ、６Ｇ−ＳＤＩ、１２Ｇ−ＳＤＩ、等を含む伝送規格群とに分類されている。そして、判断された伝送方式の変化と、判断された伝送規格を含む伝送規格群の変化とのそれぞれが、所定の変化として扱われる。すなわち、今回判断された伝送方式が前回判断された伝送方式と異なる場合に、所定の変化があったと判断される。今回判断された伝送規格を含む伝送規格群が、前回判断された伝送規格を含む伝送規格群と異なる場合にも、所定の変化があったと判断される。そして、今回判断された伝送方式が前回判断された伝送方式と等しく、且つ、今回判断された伝送規格を含む伝送規格群が、前回判断された伝送規格を含む伝送規格群と等しい場合に、所定の変化が無かったと判断される。
【００３２】
Ｓ２０６にて、表示設定部１０５は、予め定められた表示設定（デフォルトの表示設定）を表示部１０６に対して行う。具体的には、ペイロード情報決定部１０４は、予め定められたペイロード情報（デフォルトのペイロード情報）を、表示設定に使用するペイロード情報として決定する。そして、表示設定部１０５は、デフォルトのペイロード情報を用いて、表示部１０６に対する表示設定を行う。その後、Ｓ２０８へ処理が進められる。
【００３３】
デフォルトのペイロード情報は、ＳＤＩ信号で多く用いられるペイロード情報であることが好ましい。例えば、デフォルトのペイロード情報は、Ｓｉｇｎａｌ  Ｆｏｒｍａｔ  Ｓａｍｐｌｉｎｇ  Ｓｔｒｕｃｔｕｒｅ／Ｐｉｘｅｌ  Ｄｅｐｔｈ情報「４：４：４  ＲＧＢ  １０−ｂｉｔ」と、Ｆｒａｍｅ／Ｆｉｅｌｄ  Ｒａｔｅ（Ｈｚ）情報「１０８０ｉ：６０」とを含む。
【００３４】
Ｓ２０７にて、ペイロード情報決定部１０４は、前回決定したペイロード情報を、表示設定に使用するペイロード情報として引き続き採用し、表示設定部１０５は、前回決定されたペイロード情報を用いて、表示部１０６に対する表示設定を行う。その後、Ｓ２０８へ処理が進められる。
【００３５】
Ｓ２０８にて、表示部１０６は、表示設定部１０５によって行われた表示設定に従って、Ｓ２００において取得されたＳＤＩ信号に基づく画像を表示する。実施例１では、表示部１０６は、Ｓ２０４、Ｓ２０６、または、Ｓ２０７の表示設定に従って、Ｓ２００において取得されたＳＤＩ信号に基づく画像を表示する。
【００３６】
以上述べたように、実施例１によれば、ペイロード情報の取得状況と、判断された信号種別とに基づいて、前回決定したペイロード情報を表示設定に使用するペイロード情報として引き続き採用するか否かが判断される。具体的には、正常なペイロード情報が取得されなかった場合に、判断された信号種別に基づいて、前回決定したペイロード情報を表示設定に使用するペイロード情報として引き続き採用するか否かが判断される。それにより、前回決定したペイロード情報の引き継ぎを許容できる場合に限って当該引き継ぎを行うことができ、ペイロード情報の引き継ぎを適切に行うことができる。
【００３７】
例えば、正常なペイロード情報が付与された状態と正常なペイロード情報が付与されていない状態とを交互に繰り返すＳＤＩ信号が入力された場合には、当該ＳＤＩ信号に付与されている正常なペイロード情報を引き継いで表示設定に使用し続けることができる。正常なペイロード情報が付与されたＳＤＩ信号から正常なペイロード情報が付与されていないＳＤＩ信号への切り替えがスイッチング装置によって行われた場合にも、適切なペイロード情報を表示設定に使用することができる。例えば、信号種別に所定の変化が無い場合には、切り替え前のＳＤＩ信号に付与されている正常なペイロード情報を引き継いで表示設定に使用し続けることができる。信号種別に所定の変化がある場合には、ペイロード情報の引き継ぎは行われずに、デフォルトのペイロード情報を表示設定に使用することができる。
【００３８】
なお、信号種別は、伝送方式や伝送規格に限られない。例えば、ＳＤＩ信号の画像解像度やフレームレートが、信号種別として判断されてもよい。１つの信号種別が判断されてもよいし、複数の信号種別が判断されてもよい。また、所定の変化は、伝送方式の変化や伝送規格群の変化に限られない。伝送規格の変化、画像解像度の変化、フレームレートの変化、等が所定の変化として判断されてもよい。所定の変化は、１つの信号種別の変化であってもよいし、複数の信号種別の複数の変化の組み合わせであってもよい。例えば、伝送方式の変化と伝送規格群の変化とのそれぞれが所定の変化として扱われずに、伝送方式と伝送規格群の両方の変化が所定の変化として扱われてもよい。
【００３９】
＜実施例２＞
以下、本発明の実施例２について説明する。実施例２では、正常なペイロード情報と信号種別の対応関係を記憶し、正常なペイロード情報が取得されず且つ所定の変化があった場合に、記憶している正常なペイロード情報を、表示設定に使用するペイロード情報として決定する信号処理装置について説明する。なお、以下では、実施例１と異なる点（構成や処理）について詳しく説明し、実施例１と同じ点についての説明は省略する。
【００４０】
図３は、実施例２に係る表示装置３００の構成例を示すブロック図である。図３において、実施例１（図１）と同じ機能部には、実施例１と同じ符号が付されている。
【００４１】
ペイロード情報決定部３０１は、実施例１のペイロード情報決定部１０４と同様の機能を有する。さらに、正常なペイロード情報がペイロード情報取得部１０３によって取得された場合に、ペイロード情報決定部３０１は、当該正常なペイロード情報を、信号種別判断部１０２によって判断された信号種別に関連付けて、ペイロード情報記憶部３０２に記録する。また、正常なペイロード情報が取得されず且つ所定の変化があった場合に、ペイロード情報決定部３０１は、デフォルトのペイロード情報とは異なるペイロード情報を、表示設定に使用するペイロード情報として決定する。具体的には、ペイロード情報決定部３０１は、信号種別判断部１０２によって判断された信号種別と同じ信号種別に関連付けられてペイロード情報記憶部３０２に記録されたペイロード情報を、ペイロード情報記憶部３０２から読み出す。そして、ペイロード情報決定部３０１は、読み出したペイロード情報を、表示設定に使用するペイロード情報として表示設定部１０５へ出力する。なお、信号種別判断部１０２によって判断された信号種別と同じ信号種別に関連付けられたペイ
ロード情報をペイロード情報記憶部３０２が記憶していない場合には、デフォルトのペイロード情報が、表示設定に使用するペイロード情報として決定されてもよい。
【００４２】
上述したように、ペイロード情報決定部３０１は、正常なペイロード情報を信号種別に関連付けてペイロード情報記憶部３０２に記録する。その結果、ペイロード情報記憶部３０２は、図４に示すテーブルのように、正常なペイロード情報と信号種別との対応関係を記憶する。なお、ペイロード情報記憶部３０２は、表示装置３００（信号処理装置）に内蔵されていてもよいし、表示装置３００に対して着脱可能であってもよい。
【００４３】
図５は、表示装置３００の処理フロー例を示すフローチャートである。表示装置３００は、図５の処理フローを順次行う。図５において、実施例１（図３）と同じ処理には、実施例１と同じ符号が付されている。
【００４４】
実施例２では、正常なペイロード情報が取得されたとペイロード情報決定部３０１が判断した場合には（Ｓ２０３：Ｙｅｓ）、Ｓ５００、Ｓ２０４、及び、Ｓ２０８の処理が行われる。Ｓ５００にて、ペイロード情報決定部３０１は、Ｓ２０２において取得されたペイロード情報を、Ｓ２０１において判断された信号種別に関連付けてペイロード情報記憶部３０２に記録する。正常なペイロード情報が取得されなかったとペイロード情報決定部３０１が判断した場合には（Ｓ２０３：Ｎｏ）、実施例１と同様に、Ｓ２０５へ処理が進められる。
【００４５】
そして、所定の変化があったとペイロード情報決定部３０１が判断した場合には（Ｓ２０５：Ｙｅｓ）、Ｓ５０１、Ｓ５０２、及び、Ｓ２０８の処理が行われる。所定の変化が無かったとペイロード情報決定部３０１が判断した場合には（Ｓ２０５：Ｎｏ）、実施例１と同様に、Ｓ２０７とＳ２０８の処理が行われる。
【００４６】
Ｓ５０１にて、ペイロード情報決定部３０１は、Ｓ２０１において判断された信号種別と同じ信号種別に関連付けられたペイロード情報を、ペイロード情報記憶部３０２から読み出す。そして、Ｓ５０２にて、表示設定部１０５は、Ｓ５０１において読み出されたペイロード情報を用いて、表示部１０６に対する表示設定を行う。
【００４７】
以上述べたように、実施例２によれば、正常なペイロード情報が取得された場合に、当該正常なペイロード情報が、判断された信号種別に関連付けられて記憶部に記録される。そして、正常なペイロード情報が取得されず且つ所定の変化があった場合に、判断された信号種別と同じ信号種別に関連付けられた記憶部に記録されたペイロード情報が、表示設定に使用するペイロード情報として決定される。それにより、実施例１よりも適切なペイロード情報を表示設定に使用することができる。具体的には、正常なペイロード情報が取得されず且つ所定の変化があった場合に、デフォルトのペイロード情報よりも適切なペイロード情報を表示設定に使用することができる。
【００４８】
＜実施例３＞
以下、本発明の実施例２について説明する。実施例３では、決定したペイロード情報をＳＤＩ信号に付与する信号処理装置について説明する。なお、以下では、実施例１と異なる点（構成や処理）について詳しく説明し、実施例１と同じ点についての説明は省略する。
【００４９】
図６は、実施例３に係る信号処理装置６００の構成例を示すブロック図である。図６において、実施例１（図１）と同じ機能部には、実施例１と同じ符号が付されている。
【００５０】
ペイロード情報決定部６０１は、実施例１のペイロード情報決定部１０４と同様の機能
を有する。ペイロード情報付与部６０２は、正常なペイロード情報がペイロード情報取得部１０３によって取得されなかった場合に、ペイロード情報決定部６０１によって決定されたペイロード情報を、入力部１０１によって取得されたＳＤＩ信号に付与する。
【００５１】
具体的には、正常なペイロード情報がペイロード情報取得部１０３によって取得されなかった場合に限って、ペイロード情報決定部６０１は、表示設定に使用するペイロード情報として決定したペイロード情報を、ペイロード情報付与部６０２へ出力する。そして、ペイロード情報決定部６０１からペイロード情報が出力された場合に、ペイロード情報付与部６０２は、入力部１０１によって取得されたＳＤＩ信号に当該ペイロード情報を付与し、ペイロード情報が付与された後のＳＤＩ信号を出力部６０３へ出力する。ペイロード情報決定部６０１からペイロード情報が出力されなかった場合には、ペイロード情報付与部６０２は、入力部１０１によって取得されたＳＤＩ信号を、そのまま出力部６０３へ出力する。
【００５２】
出力部６０３は、ペイロード情報付与部６０２の処理が施された後のＳＤＩ信号を、有線または無線で外部装置へ出力する。具体的には、出力部６０３は、ペイロード情報付与部６０２から出力されたＳＤＩ信号を外部装置へ出力する。
【００５３】
図７は、信号処理装置６００の処理フロー例を示すフローチャートである。信号処理装置６００は、図７の処理フローを順次行う。図７において、実施例１（図３）と同じ処理には、実施例１と同じ符号が付されている。
【００５４】
実施例３では、Ｓ２０２の次に、Ｓ７００にて、ペイロード情報決定部６０１は、Ｓ２０２においてペイロード情報が取得されたか否かを判断する。ペイロード情報が取得されたと判断された場合には（Ｓ７００：Ｙｅｓ）、Ｓ７０１へ処理が進められる。ペイロード情報が取得されなかったと判断された場合には（Ｓ７００：Ｎｏ）、Ｓ２０５へ処理が進められる。そして、所定の変化があったとペイロード情報決定部６０１が判断した場合には（Ｓ２０５：Ｙｅｓ）、Ｓ７０１へ処理が進められ、所定の変化が無かったとペイロード情報決定部６０１が判断した場合には（Ｓ２０５：Ｎｏ）、Ｓ７０２へ処理が進められる。
【００５５】
Ｓ７０１にて、ペイロード情報付与部６０２は、Ｓ２００において取得されたＳＤＩ信号をそのまま出力する（ペイロード情報の非付与）。このとき、例えば、Ｓ２０２においてペイロード情報が取得された場合には、ペイロード情報決定部６０１は、Ｓ２０２で取得したペイロード情報を、表示設定に使用するペイロード情報として決定する。Ｓ２０２においてペイロード情報が取得されなかった場合には、表示設定に使用するペイロード情報の決定を省略する。
【００５６】
Ｓ７０２にて、ペイロード情報決定部６０１は、前回決定したペイロード情報を、表示設定に使用するペイロード情報として決定する。そして、ペイロード情報付与部６０２は、Ｓ２００で取得されたＳＤＩ信号に前回決定されたペイロード情報を付与し、ペイロード情報が付与された後のＳＤＩ信号を出力する。
【００５７】
Ｓ７０１またはＳ７０２の処理が行われた後、Ｓ７０３へ処理が進められる。Ｓ７０３にて、出力部６０３は、Ｓ７０１またはＳ７０２においてペイロード情報付与部６０２から出力されたＳＤＩ信号を、外部装置へ出力する。
【００５８】
以上述べたように、実施例３によれば、正常なペイロード情報が取得されなかった場合に、実施例１と同様に、判断された信号種別に基づいて、前回決定したペイロード情報を表示設定に使用するペイロード情報として引き続き採用するか否かが判断される。そのた
め、実施例３においても、前回決定したペイロード情報の引き継ぎを許容できる場合に限って当該引き継ぎを行うことができ、ペイロード情報の引き継ぎを適切に行うことができる。そして、正常なペイロード情報が取得されなかった場合に、表示設定に使用するペイロード情報として決定されたペイロード情報がＳＤＩ信号に付与され、ペイロード情報が付与された後のＳＤＩ信号が出力される。そのため、実施例３の信号処理装置から出力されたＳＤＩ信号を表示に使用することにより、適切な表示設定を行うことができる。
【００５９】
なお、実施例３では、ペイロード情報が取得されず且つ所定の変化が無かった場合に限って、決定されたペイロード情報がＳＤＩ信号に付与される。すなわち、誤ったペイロード情報が取得された場合、所定の変化があった場合、等においては、ペイロード情報の付与は行われない。しかしながら、それらの場合においてペイロード情報の付与が行われてもよい。例えば、ペイロード情報が取得されず且つ所定の変化があった場合に、デフォルトのペイロード情報（実施例１）または記録されたペイロード情報（実施例２）が、表示設定に使用するペイロード情報として決定され、ＳＤＩ信号に付与されてもよい。誤ったペイロード情報が取得され且つ所定の変化があった場合に、デフォルトのペイロード情報または記録されたペイロード情報が、表示設定に使用するペイロード情報として決定されてもよい。誤ったペイロード情報が取得され且つ所定の変化が無かった場合に、前回決定したペイロード情報が、表示設定に使用するペイロード情報として決定されてもよい。そして、誤ったペイロード情報が、表示設定に使用するペイロード情報として決定された上記ペイロード情報に置き換えられてもよい。また、実施例３において、実施例１，２と同様に表示設定が行われてもよい。
【００６０】
実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００６１】
実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【００６２】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６３】
１００，３００：表示装置  ６００：信号処理装置
１０２：信号種別判断部  １０３：ペイロード情報取得部
１０４，３０１，６０１：ペイロード情報決定部
【図１】
2019033388.tif 000003
【図２】
2019033388.tif 000004
【図３】
2019033388.tif 000005
【図４】
2019033388.tif 000006
【図５】
2019033388.tif 000007
【図６】
2019033388.tif 000008
【図７】
2019033388.tif 000009
【図８】
2019033388.tif 000010